(57)【特許請求の範囲】
【請求項１】
無線通信のための方法であって、
移動局において、低電力状態のリスニング期間中に、媒体アクセス制御（ＭＡＣ）管理メッセージがいつ送信されるかを示すブロードキャスト制御ポインタ情報要素（ＢＣＰ−ＩＥ）を備えるメッセージを受信することと、ここで、前記ＭＡＣ管理メッセージは、サービス・アイデンティティ・ブロードキャスト情報通知（ＳＩＩ−ＡＤＶ）メッセージである、
送信されるべき前記ＭＡＣ管理メッセージのバージョンが、以前に受信されたＭＡＣ管理メッセージのバージョンと一致するかを判定することと、
前記移動局において、前記送信されるべきＭＡＣ管理メッセージのバージョンが前記以前に受信されたバージョンと一致しないことに応答して、ウェイク・アップして前記ＭＡＣ管理メッセージを受信するように、前記低電力状態のスケジュールを変更することと
を備える方法。
【請求項２】
前記送信されるべきＭＡＣ管理メッセージのバージョンが、以前に受信されたＭＡＣ管理メッセージのバージョンと一致するかを判定することは、前記ＭＡＣ管理メッセージのどのバージョンが送信されるのかを示す前記ＢＣＰ−ＩＥの１または複数のパラメータのセットを検査することを備える、請求項１に記載の方法。
【請求項３】
前記ＢＣＰ−ＩＥの１または複数のパラメータのセットは、設定変更カウンタ（ＣＣＣ）、フラグメント・インデクス、あるいは、フラグメント値の合計数を備える、請求項２に記載の方法。
【請求項４】
無線通信のための装置であって、
低電力状態のリスニング期間中に、媒体アクセス制御（ＭＡＣ）管理メッセージがいつ送信されるかを示すブロードキャスト制御ポインタ情報要素（ＢＣＰ−ＩＥ）を備えるメッセージを受信するためのロジックと、ここで、前記ＭＡＣ管理メッセージは、サービス・アイデンティティ・ブロードキャスト情報通知（ＳＩＩ−ＡＤＶ）メッセージである、
送信されるべき前記ＭＡＣ管理メッセージのバージョンが、以前に受信されたＭＡＣ管理メッセージのバージョンと一致するかを判定するためのロジックと、
前記送信されるべきＭＡＣ管理メッセージのバージョンが前記以前に受信されたバージョンと一致しないことに応答して、ウェイク・アップして前記ＭＡＣ管理メッセージを受信するように、前記低電力状態のスケジュールを変更するためのロジックと
を備える装置。
【請求項５】
前記送信されるべきＭＡＣ管理メッセージのバージョンが、以前に受信されたＭＡＣ管理メッセージのバージョンと一致するかを判定するためのロジックは、前記ＭＡＣ管理メッセージのどのバージョンが送信されるのかを示す前記ＢＣＰ−ＩＥの１または複数のパラメータのセットを分析するためのロジックを備える、請求項４に記載の装置。
【請求項６】
前記ＢＣＰ−ＩＥの１または複数のパラメータのセットは、設定変更カウンタ（ＣＣＣ）、フラグメント・インデクス、あるいは、フラグメント値の合計数を備える、請求項５に記載の装置。
【請求項７】
無線通信のための装置であって、
低電力状態のリスニング期間中に、媒体アクセス制御（ＭＡＣ）管理メッセージがいつ送信されるかを示すブロードキャスト制御ポインタ情報要素（ＢＣＰ−ＩＥ）を備えるメッセージを受信する手段と、ここで、前記ＭＡＣ管理メッセージは、サービス・アイデンティティ・ブロードキャスト情報通知（ＳＩＩ−ＡＤＶ）メッセージである、
送信されるべき前記ＭＡＣ管理メッセージのバージョンが、以前に受信されたＭＡＣ管理メッセージのバージョンと一致するかを判定する手段と、
前記送信されるべきＭＡＣ管理メッセージのバージョンが前記以前に受信されたバージョンと一致しないことに応答して、ウェイク・アップして前記ＭＡＣ管理メッセージを受信するように、前記低電力状態のスケジュールを変更する手段と
を備える装置。
【請求項８】
前記送信されるべきＭＡＣ管理メッセージのバージョンが、以前に受信されたＭＡＣ管理メッセージのバージョンと一致するかを判定する手段は、前記ＭＡＣ管理メッセージのどのバージョンが送信されるのかを示す前記ＢＣＰ−ＩＥの１または複数のパラメータのセットを検査する手段を備える、請求項７に記載の装置。
【請求項９】
前記ＢＣＰ−ＩＥの１または複数のパラメータのセットは、設定変更カウンタ（ＣＣＣ）、フラグメント・インデクス、あるいは、フラグメント値の合計数を備える、請求項８に記載の装置。
【請求項１０】
命令群のセットを格納したメモリ・デバイスを備える、移動局のためのコンピュータ・プログラム記憶装置であって、前記命令群は、１または複数のプロセッサによって実行可能であり、前記命令群は、
低電力状態のリスニング期間中に、媒体アクセス制御（ＭＡＣ）管理メッセージがいつ送信されるかを示すブロードキャスト制御ポインタ情報要素（ＢＣＰ−ＩＥ）を備えるメッセージを受信するための命令群と、ここで、前記ＭＡＣ管理メッセージは、サービス・アイデンティティ・ブロードキャスト情報通知（ＳＩＩ−ＡＤＶ）メッセージである、
送信されるべき前記ＭＡＣ管理メッセージのバージョンが、以前に受信されたＭＡＣ管理メッセージのバージョンと一致するかを判定するための命令群と、
前記送信されるべきＭＡＣ管理メッセージのバージョンが前記以前に受信されたバージョンと一致しないことに応答して、ウェイク・アップして前記ＭＡＣ管理メッセージを受信するように、前記低電力状態のスケジュールを変更するための命令群と
を備える、コンピュータ・プログラム記憶装置。
【請求項１１】
前記送信されるべきＭＡＣ管理メッセージのバージョンが、以前に受信されたＭＡＣ管理メッセージのバージョンと一致するかを判定するための命令群は、前記ＭＡＣ管理メッセージのどのバージョンが送信されるのかを示す前記ＢＣＰ−ＩＥの１または複数のパラメータのセットを検査するための命令群を備える、請求項１０に記載のコンピュータ・プログラム記憶装置。
【請求項１２】
前記ＢＣＰ−ＩＥの１または複数のパラメータのセットは、設定変更カウンタ（ＣＣＣ）、フラグメント・インデクス、あるいは、フラグメント値の合計数を備える、請求項１１に記載のコンピュータ・プログラム記憶装置。
【発明の詳細な説明】
【優先権の主張】
【０００１】
本願は、本願の譲受人に譲渡され、すべての目的のために本明細書に参照によって完全に組み込まれている、「ロバストなＤＣＤ／ＵＣＤおよびＭＯＢ＿ＮＢＲ−ＡＤＶブロードキャストのためのアラートおよび同期のための方法およびシステム」（Methods and Systems for Alerting and Synchronization for Robust DCD/UCD and MOB_NBR-ADV Broadcasting）と題され、２００９年２月１３日に出願された米国仮特許出願６１／１５２，６３４号からの優先権の利益を主張する。
【技術分野】
【０００２】
本開示のある実施形態は、一般に、無線通信に関し、さらに詳しくは、移動局（ＭＳ）がまだ受信していない媒体アクセス制御（ＭＡＣ）管理メッセージを受信するために、ＭＳを節電モードからウェイクさせることに関する。
【背景技術】
【０００３】
ＩＥＥＥ８０２．１６の下の直交周波数分割多重化（ＯＦＤＭ）および直交周波数分割多元接続（ＯＦＤＭＡ）による無線通信システムは、複数のサブキャリアの周波数の直交性に基づいて、これらシステム内のサービスのために登録された無線デバイス（すなわち、移動局）と通信するために、基地局のネットワークを使用し、例えばマルチパス・フェージングや干渉に対する耐性のような、広帯域無線通信のための多くの技術的な利点を達成するように実現される。各基地局（ＢＳ）は、移動局との間でデータを伝送するラジオ周波数（ＲＦ）信号を送信し、受信する。
【０００４】
ＩＥＥＥ８０２．１６規格の現在のバージョンでは、基地局（ＢＳ）は、サービスが提供される移動局（ＭＳ）へ１または複数の媒体アクセス制御（ＭＡＣ）管理メッセージをブロードキャストしうる。ＭＡＣ管理メッセージのパラメータはしばしば変更され、ＭＡＣ管理メッセージの新たなバージョンとなる。その後、ＭＡＣ管理メッセージの新たなバージョンが、ＭＳへ送られ、ＭＳは、これら新たなパラメータに適応するように再設定できるようになる。これらの変更は、設定変更カウンタ（ＣＣＣ）によって追跡されうる。
【０００５】
しかしながら、節電のために、ＭＳが、利用不可能な期間をネゴシエートするのに便利であるという状況になりうる。したがって、ＭＡＣ管理メッセージが、ＭＡＣ管理メッセージの新たなバーションをブロードキャストした場合に、ＭＳが利用不可能な状態にあるのであれば、ＭＳは、ＭＡＣ管理メッセージを受信することができない。この結果、ＭＡＣ管理メッセージの現在のバージョンと、ＭＳの設定との間にミスマッチが生じうる。
【０００６】
ＰＤＵに含まれるＤＬ−ＭＡＰ情報と、ＭＳの設定との間にミスマッチがあれば、ＭＡＣ管理パラメータが更新され、ＭＳが、ＤＬ−ＭＡＰ情報にマッチするＰＤＵメッセージを受信するまで、ＭＳは、後続するＰＤＵを破棄しうる。その結果、ＭＡＣ管理パラメータとＤＬ−ＭＡＰ情報が同期される前に、ＭＳは、送信されたすべてのデータ・パケットを失い、その結果、データ・スループットが低下する。
【０００７】
いくつかのシナリオでは、ＢＳはこの状況に気付かないので、ＭＳは、ＭＡＣ管理パラメータのマッチングを含む、ＰＤＵの受信の前に、３０秒間待機せねばならない。さらに、ＭＳはスリープ状態に入る前に、更新されたＭＡＣ管理メッセージを受信することを待っているので、たとえＰＤＵがＭＳの一部の動作を必要としない場合であっても、ＭＳの電力消費量は高くなる。
【発明の概要】
【０００８】
本開示のある実施形態は、無線通信のための方法を提供する。この方法は一般に、低電力状態のリスニング期間中に、媒体アクセス制御（ＭＡＣ）管理メッセージがいつ送信されるかを示すブロードキャスト制御ポインタ情報要素（ＢＣＰ−ＩＥ）を備える第１のメッセージを受信することと、送信されるべきＭＡＣ管理メッセージのバージョンが、以前に受信されたＭＡＣ管理メッセージのバージョンと一致するかを判定することと、送信されるべきＭＡＣ管理メッセージのバージョンが、以前に受信されたバージョンと一致しない場合、ウェイク・アップしてＭＡＣ管理メッセージを受信するように、低電力状態のスケジュールを変更することとを含む。
【０００９】
本開示のある実施形態は、直交周波数分割多重化または多元接続による無線通信のための方法を提供する。この方法は一般に、利用不可能な状態にある１または複数の移動局（ＭＳ）のセットを決定することと、新たなＭＡＣ管理メッセージが有効になる前に、新たなＭＡＣ管理メッセージがＭＳのセットにおけるおのおののＭＳによって受信されるように、新たなＭＡＣ管理メッセージを送信するフレームのセットを決定することと、フレームのセットにおけるおのおののフレーム中に、新たなＭＡＣ管理メッセージを送信することとを含む。
【００１０】
ある実施形態は、無線通信のための装置を提供する。この装置は一般に、低電力状態のリスニング期間中に、媒体アクセス制御（ＭＡＣ）管理メッセージがいつ送信されるかを示すブロードキャスト制御ポインタ情報要素（ＢＣＰ−ＩＥ）を備えるメッセージを受信するためのロジックと、送信されるべきＭＡＣ管理メッセージのバージョンが、以前に受信されたＭＡＣ管理メッセージのバージョンと一致するかを判定するためのロジックと、送信されるべきＭＡＣ管理メッセージのバージョンが、以前に受信されたバージョンと一致しない場合、ウェイク・アップしてＭＡＣ管理メッセージを受信するように、低電力状態のスケジュールを変更するためのロジックとを含む。
【００１１】
ある実施形態は、直交周波数分割多重化（ＯＦＤＭ）または直交周波数分割多元接続（ＯＦＤＭＡ）による無線通信のための装置を提供する。この装置は一般に、利用不可能な状態にある１または複数の移動局（ＭＳ）のセットを決定するためのロジックと、新たな媒体アクセス制御（ＭＡＣ）管理メッセージが有効になる前に、新たなＭＡＣ管理メッセージがＭＳのセットにおけるおのおののＭＳによって受信されるように、新たなＭＡＣ管理メッセージを送信するフレームのセットを決定するためのロジックと、フレームのセットにおけるおのおののフレーム中に、新たなＭＡＣ管理メッセージを送信するためのロジックとを含む。
【００１２】
ある実施形態は、無線通信のための装置を提供する。この装置は一般に、低電力状態のリスニング期間中に、媒体アクセス制御（ＭＡＣ）管理メッセージがいつ送信されるかを示すブロードキャスト制御ポインタ情報要素（ＢＣＰ−ＩＥ）を備えるメッセージを受信する手段と、送信されるべきＭＡＣ管理メッセージのバージョンが、以前に受信されたＭＡＣ管理メッセージのバージョンと一致するかを判定する手段と、送信されるべきＭＡＣ管理メッセージのバージョンが、以前に受信されたバージョンと一致しない場合、ウェイク・アップしてＭＡＣ管理メッセージを受信するように、低電力状態のスケジュールを変更する手段とを含む。
【００１３】
ある実施形態は、直交周波数分割多重化（ＯＦＤＭ）または直交周波数分割多元接続（ＯＦＤＭＡ）による無線通信のための装置を提供する。この装置は一般に、利用不可能な状態にある１または複数の移動局（ＭＳ）のセットを決定する手段と、新たな媒体アクセス制御（ＭＡＣ）管理メッセージが有効になる前に、新たなＭＡＣ管理メッセージがＭＳのセットにおけるおのおののＭＳによって受信されるように、新たなＭＡＣ管理メッセージを送信するフレームのセットを決定する手段と、フレームのセットにおけるおのおののフレーム中に、新たなＭＡＣ管理メッセージを送信する手段とを含む。
【００１４】
ある実施形態は、１または複数のプロセッサによって実行されることが可能な、格納された命令群のセットを有するメモリを備えた、無線通信のためのコンピュータ・プログラム記憶装置を提供する。これら命令群のセットは一般に、低電力状態のリスニング期間中に、媒体アクセス制御（ＭＡＣ）管理メッセージがいつ送信されるかを示すブロードキャスト制御ポインタ情報要素（ＢＣＰ−ＩＥ）を備えるメッセージを受信するための命令群と、送信されるべきＭＡＣ管理メッセージのバージョンが、以前に受信されたＭＡＣ管理メッセージのバージョンと一致するかを判定するための命令群と、送信されるべきＭＡＣ管理メッセージのバージョンが、以前に受信されたバージョンと一致しない場合、ウェイク・アップしてＭＡＣ管理メッセージを受信するように、低電力状態のスケジュールを変更するための命令群とを含む。
【００１５】
ある実施形態は、１または複数のプロセッサによって実行されることが可能な、格納された命令群のセットを有するメモリを備えた、無線通信のためのコンピュータ・プログラム記憶装置を提供する。これら命令群のセットは一般に、利用不可能な状態にある１または複数の移動局（ＭＳ）のセットを決定するための命令群と、新たな媒体アクセス制御（ＭＡＣ）管理メッセージが有効になる前に、新たなＭＡＣ管理メッセージがＭＳのセットにおけるおのおののＭＳによって受信されるように、新たなＭＡＣ管理メッセージを送信するフレームのセットを決定するための命令群と、フレームのセットにおけるおのおののフレーム中に、新たなＭＡＣ管理メッセージを送信するための命令群とを含む。
【図面の簡単な説明】
【００１６】
本開示の特徴が詳細に理解されうる方式で、上記に要約されたより具体的な記載が、そのいくつかが添付図面に例示された実施形態に対する参照によってなされている。しかし、添付図面は、本開示のある種の典型的な実施形態しか示しておらず、これら説明は、他の同等に効果的な実施形態をも可能にすることができ、本開示の範囲を限定するものとは考えられないことに留意されたい。
【図１】図１は、本開示のある種の実施形態にしたがう無線通信システムを例示する。
【図２】図２は、本開示のある種の実施形態による、無線デバイス内で利用できるさまざまな構成要素を例示する。
【図３】図３は、本開示のある種の実施形態による、直交周波数分割多重および直交周波数分割多元接続（ＯＦＤＭ／ＯＦＤＭＡ）技術を利用する無線通信システム内で使用できる送信機および受信機を例示する。
【図４Ａ】図４Ａは、節電モードにおける基地局（ＢＳ）と移動局（ＭＳ）との間の交換の例を図示する。
【図４Ｂ】図４Ｂは、節電モードにおける基地局（ＢＳ）と移動局（ＭＳ）との間の交換の例を図示する。
【図５】図５は、時分割デュプレクス（ＴＤＤ）のためのＯＦＤＭ／ＯＦＤＭＡフレームの例を図示する。
【図６Ａ】図６Ａは、一般的なＤＬ−ＭＡＰ情報要素（ＩＥ）とブロードキャスト制御ポインタ情報要素（ＢＣＰ−ＩＥ）とを備えたダウンリンク・マップ（ＤＬ−ＭＡＰ）メッセージにおける入力のフォーマットおよびビット・サイズの例を図示する。
【図６Ｂ】図６Ｂは、一般的なＤＬ−ＭＡＰ情報要素（ＩＥ）とブロードキャスト制御ポインタ情報要素（ＢＣＰ−ＩＥ）とを備えたダウンリンク・マップ（ＤＬ−ＭＡＰ）メッセージにおける入力のフォーマットおよびビット・サイズの例を図示する。
【図７】図７は、ＭＳがまだ受信していない媒体アクセス制御（ＭＡＣ）管理メッセージを受信する準備をするようにＭＳにアラートするための動作の例を図示する。
【図７Ａ】図７Ａは、図７の動作の例を実行することができる構成要素の例を図示する。
【図８】図８は、ＢＳとＭＳとの間の交換の例を図示しており、ここで、ＢＳは、ＭＳに対して、ＭＳがまだ受信していないＭＡＣ管理メッセージを受信する準備をするようにアラートする。
【図９】図９は、さまざまな節電モードにおいて、複数のＭＳへ送信されるＭＡＣ管理メッセージを例示する。
【図１０】図１０は、ＭＳのセットにおけるおのおののＭＳが新たなメッセージを受信できるように、新たなＭＡＣ管理メッセージを送信するために、例えばサービス提供ＢＳによって実行されうる動作の例を図示する。
【図１０Ａ】図１０Ａは、図１０の動作の例を実行することが可能な構成要素の例を図示する。
【図１１】図１１は、ＭＳのセットにおけるおのおののＭＳがメッセージを受信するまで送信される新たなＭＡＣ管理メッセージを例示する。
【発明を実施するための形態】
【００１７】
本開示のある実施形態は、移動局（ＭＳ）がまだ受信していない媒体アクセス制御（ＭＡＣ）管理メッセージ（例えば、ＤＣＤ／ＵＣＤ、ＭＯＢ＿ＮＢＲ−ＡＤＶ、およびＳＩＩ−ＡＤＶ）を受信するために、ＭＳを節電モードからウェイクさせるための方法および装置を提供する。ＭＳは、ＭＳによって最後に受信された媒体アクセス制御（ＭＡＣ）管理メッセージ・パラメータのセットと、ダウンリンク・マップ（ＤＬ−ＭＡＰ）で送信されたエンハンスト・ブロードキャスト制御ポインタ情報要素（ＢＣＰ−ＩＥ）において見られる情報との間のミスマッチを検出した後、節電モードからウェイクしうる。このようにして、ＭＳは、不必要にウェイク・アップすることが回避され、もって、電力効率が高められる。
【００１８】
（典型的な無線通信システム）  
本明細書に記載された技術は、直交多重化スキームに基づく通信システムを含むさまざまなブロードバンド無線通信システムのために使用される。そのような通信システムの例は、直交周波数分割多元接続（ＯＦＤＭＡ）システム、シングル・キャリア周波数分割多元接続（ＳＣ−ＦＤＭＡ）システム等を含んでいる。ＯＦＤＭＡシステムは、直交周波数分割多重化（ＯＦＤＭ）を利用する。それは、システム帯域幅全体を、複数の直交サブキャリアへ分割する変調技術である。これらサブキャリアはまた、トーン、ビン等とも称されうる。ＯＦＤＭでは、おのおののサブキャリアは、データと独立して変調される。ＳＣ−ＦＤＭＡシステムは、システム帯域幅にわたって分散されたサブキャリアで送信するインタリーブＦＤＭＡ（ＩＦＤＭＡ）、隣接サブキャリアのブロックで送信するローカライズドＦＤＭＡ（ＬＦＤＭＡ）、あるいは、隣接するサブキャリアの複数のブロックで送信するエンハンストＦＤＭＡ（ＥＦＤＭＡ）を利用する。一般に、変調シンボルは、ＯＦＤＭでは周波数領域で、ＳＣ−ＦＤＭＡでは時間領域で送信される。
【００１９】
直交多重化スキーム基づく通信システムの一例は、ＷｉＭＡＸシステムである。ワールドワイド・インタオペラビリティ・フォー・マイクロウェーブ・アクセスを意味するＷｉＭＡＸは、長距離にわたる高スループット・ブロードバンド接続を提供する規格ベースのブロードバンド無線技術である。今日、ＷｉＭＡＸの２つの主要なアプリケーション、すなわち、固定ＷｉＭＡＸとモバイルＷｉＭＡＸとがある。固定ＷｉＭＡＸアプリケーションは、ポイント・トゥ・マルチポイントであり、例えば家庭および会社へのブロードバンド接続を可能にする。モバイルＷｉＭＡＸは、ＯＦＤＭおよびＯＦＤＭＡに基づき、ブロードバンド速度でセルラ・ネットワークの完全なモビリティを提供する。
【００２０】
ＩＥＥＥ  ８０２．１６ｘは、固定式およびモバイルのブロードバンド無線アクセス（ＢＷＡ）システム用のエア・インタフェースを定義するための新生の規格体系である。これら規格は少なくとも４つの異なる物理レイヤ（ＰＨＹ）および１つの媒体アクセス制御（ＭＡＣ）レイヤを定義する。４つの物理レイヤのうちのＯＦＤＭ物理レイヤおよびＯＦＤＭＡ物理レイヤは、それぞれ固定ＢＷＡ領域およびモバイルＢＷＡ領域で最も人気がある。
【００２１】
図１に、本開示の実施形態を使用できる無線通信システム１００の例を示す。この無線通信システム１００は、ブロードバンド無線通信システムとなりうる。無線通信システム１００は、それぞれが基地局１０４によってサービスされる複数のセル１０２に通信を提供することができる。基地局１０４は、ユーザ端末１０６と通信する固定局となりうる。基地局１０４は、その代わりに、アクセスポイント、Ｎｏｄｅ  Ｂ、またはある他の用語で称されうる。
【００２２】
図１は、システム１００全体に散在するさまざまなユーザ端末１０６を示す。ユーザ端末１０６は、固定式（すなわち、据え置き式）またはモバイルでありうる。ユーザ端末１０６を、代わりに、遠隔局、アクセス端末、端末、加入者ユニット、移動局、局、ユーザ機器等と称することができる。ユーザ端末１０６は、セルラ電話、携帯情報端末（ＰＤＡ）、ハンドヘルド・デバイス、無線モデム、ラップトップ・コンピュータ、パーソナル・コンピュータ等のような無線デバイスでありうる。
【００２３】
さまざまなアルゴリズムおよび方法を、無線通信システム１００内における基地局１０４とユーザ端末１０６との間の伝送に使用することができる。例えば、信号を、ＯＦＤＭ／ＯＦＤＭＡ技法に従って基地局１０４とユーザ端末１０６との間で送信し、受信することができる。この場合、無線通信システム１００を、ＯＦＤＭ／ＯＦＤＭＡシステムと称することができる。
【００２４】
基地局１０４からユーザ端末１０６への伝送を容易にする通信リンクは、ダウンリンク１０８と称され、ユーザ端末１０６から基地局１０４への伝送を容易にする通信リンクは、アップリンク１１０と称されうる。あるいは、ダウンリンク１０８を、順方向リンクまたは順方向チャネルと称したり、アップリンク１１０を、逆方向リンクまたは逆方向チャネルと称する場合がある。
【００２５】
セル１０２は、複数のセクタ１１２に分割されうる。セクタ１１２は、セル１０２内の物理有効通信範囲領域である。無線通信システム１００内の基地局１０４は、セル１０２の特定のセクタ１１２内の電力の流れを集中させるアンテナを利用することができる。そのようなアンテナは、指向性アンテナと称されうる。
【００２６】
図２は、無線通信システム１００内に適用されうる無線デバイス２０２で利用されるさまざまな構成要素を図示する。無線デバイス２０２は、本明細書で説明されるさまざまな方法を実施するために構成され得るデバイスの例である。無線デバイス２０２は、基地局１０４またはユーザ端末１０６でありうる。
【００２７】
無線デバイス２０２は、無線デバイス２０２の動作を制御するプロセッサ２０４を含みうる。このプロセッサ２０４は、中央制御装置（ＣＰＵ）とも称されうる。読取専用メモリ（ＲＯＭ）とランダム・アクセス・メモリ（ＲＡＭ）との両方を含むことができるメモリ２０６は、プロセッサ２０４に命令およびデータを提供する。メモリ２０６の一部は、不揮発性ランダム・アクセス・メモリ（ＮＶＲＡＭ）を含むこともできる。プロセッサ２０４は、通常、メモリ２０６に格納されたプログラム命令に基づいて、ロジック演算および算術演算を実行する。本明細書で説明される方法を実施するために、メモリ２０６内の命令を実行可能とすることができる。
【００２８】
無線デバイス２０２は、無線デバイス２０２と遠隔位置との間でのデータの伝送および受信を可能にする送信機２１０および受信機２１２を含むことができるハウジング２０８をも含みうる。送信機２１０および受信機２１２を、トランシーバ２１４に組み合わせることができる。アンテナ２１６をハウジング２０８に取り付け、トランシーバ２１４に電気的に接続することができる。無線デバイス２０２は、（図示されていない）複数の送信機、複数の受信機、複数のトランシーバ、および／または複数のアンテナを含むこともできる。
【００２９】
無線デバイス２０２は、トランシーバ２１４によって受信された信号を検出し、そのレベルを定量化する目的で使用される信号検出器２１８をも含むことができる。信号検出器２１８は、合計エネルギ、擬似雑音（ＰＮ）チップ毎のパイロット・エネルギ、電力スペクトル密度、およびその他の信号のような信号を検出する。無線デバイス２０２は、信号を処理する際に使用されるデジタル信号プロセッサ（ＤＳＰ）２２０をも含むことができる。
【００３０】
無線デバイス２０２のさまざまな構成要素を、データ・バスに加えて電力バス、制御信号バス、およびステータス信号バスを含むことができるバス・システム２２２によってともに結合することができる。
【００３１】
図３に、ＯＦＤＭ／ＯＦＤＭＡを利用する無線通信システム１００内で使用できる送信機３０２の例を示す。送信機３０２の諸部分は、無線デバイス２０２の送信機２１０内に実装されうる。送信機３０２は、ダウンリンク１０８でのユーザ端末１０６へのデータ３０６の伝送のために、基地局１０４内に実装されうる。送信機３０２は、アップリンク１１０での基地局１０４へのデータ３０６の伝送のために、ユーザ端末１０６内に実装されうる。
【００３２】
送信されるデータ３０６は、シリアル・パラレル（Ｓ／Ｐ）コンバータ３０８に入力として提供されるものとして図示されている。Ｓ／Ｐコンバータ３０８は、この送信データをＮ個の並列データ・ストリーム３１０に分割することができる。
【００３３】
Ｎ個の並列データ・ストリーム３１０は次に、マッパ３１２に入力として供給されうる。マッパ３１２は、Ｎ個の並列データ・ストリーム３１０をＮ個のコンステレーション・ポイントにマッピングすることができる。このマッピングは、バイナリ・フェーズ・シフト・キーイング（ＢＰＳＫ）、直交フェーズ・シフト・キーイング（ＱＰＳＫ）、８フェーズ・シフト・キーイング（８ＰＳＫ）、直交振幅変調（ＱＡＭ）等のようなある変調コンステレーションを使用して行うことができる。したがって、マッパ３１２は、Ｎ個の並列シンボル・ストリーム３１６を出力することができ、各シンボル・ストリーム３１６は、逆高速フーリエ変換（ＩＦＦＴ）３２０のＮ個の直交サブキャリアのうちの１つに対応する。これらＮ個の並列シンボル・ストリーム３１６は、周波数領域で表され、ＩＦＦＴ構成要素３２０によってＮ個の並列時間領域サンプル・ストリーム３１８に変換され得る。
【００３４】
命名法に関する短い注釈を以下に示す。周波数領域のＮ個の並列変調は、周波数領域のＮ個の変調シンボルと等しく、これは、周波数領域のＮ個のマッピングおよびＮポイントＩＦＦＴと等しく、これは、時間領域の１つの（有用な）ＯＦＤＭシンボルと等しく、これは、時間領域のＮ個のサンプルと等しい。時間領域の１つのＯＦＤＭシンボルＮｓは、Ｎｃｐ（ＯＦＤＭシンボルあたりのガード・サンプルの個数）＋Ｎ（ＯＦＤＭシンボルあたりの有用なサンプルの個数）と等しい。
【００３５】
Ｎ個の並列時間領域サンプル・ストリーム３１８は、パラレル・シリアル（Ｐ／Ｓ）コンバータ３２４によってＯＦＤＭ／ＯＦＤＭＡシンボル・ストリーム３２２に変換されうる。ガード挿入構成要素３２６は、ＯＦＤＭ／ＯＦＤＭＡシンボル・ストリーム３２２内の連続するＯＦＤＭ／ＯＦＤＭＡシンボルの間にガード・インタバルを挿入することができる。次に、ガード挿入構成要素３２６の出力が、ラジオ周波数（ＲＦ）フロント・エンド３２８によって所望の送信周波数帯域にアップコンバートされうる。そして、その結果得られた信号３３２を、アンテナ３３０が送信することができる。
【００３６】
図３には、ＯＦＤＭ／ＯＦＤＭＡを利用する無線デバイス２０２内で使用される受信機３０４の例も示されている。受信機３０４の諸部分は、無線デバイス２０２の受信機２１２内に実装されうる。受信機３０４は、データ３０６をダウンリンク１０８で基地局１０４から受信するためにユーザ端末１０６内に実装されうる。受信機３０４は、データ３０６をアップリンク１１０でユーザ端末１０６から受信するために基地局１０４内に実装されうる。
【００３７】
送信された信号３３２は、無線チャネル３３４を介して移動することが図示されている。信号３３２’がアンテナ３３０’によって受信された場合、受信された信号３３２’は、ＲＦフロント・エンド３２８’によってベースバンド信号にダウンコンバートされうる。次に、ガード除去構成要素３２６’が、ガード挿入構成要素３２６によってＯＦＤＭ／ＯＦＤＭＡシンボルの間に挿入されたガード・インタバルを除去することができる。
【００３８】
ガード除去構成要素３２６’の出力は、Ｓ／Ｐコンバータ３２４’に提供されうる。Ｓ／Ｐコンバータ３２４’は、ＯＦＤＭ／ＯＦＤＭＡシンボル・ストリーム３２２’を、それぞれがＮ個の直交サブキャリアのうちの１つに対応するＮ個の並列時間領域シンボル・ストリーム３１８’に分割することができる。高速フーリエ変換（ＦＦＴ）構成要素３２０’は、Ｎ個の並列時間領域シンボル・ストリーム３１８’を周波数領域に変換し、Ｎ個の並列周波数領域シンボル・ストリーム３１６’を出力することができる。
【００３９】
デマッパ３１２’は、マッパ３１２によって実行されたシンボル・マッピング動作の逆を実行し、これによってＮ個の並列データ・ストリーム３１０’を出力することができる。Ｐ／Ｓコンバータ３０８’は、Ｎ個の並列データ・ストリーム３１０’を単一のデータ・ストリーム３０６’に結合することができる。理想的には、このデータ・ストリーム３０６’は、送信機３０２に入力として提供されたデータ３０６に対応する。
【００４０】
（ＤＣＤ／ＵＣＤおよびＭＯＢ＿ＮＢＲ−ＡＤＶの典型的なブロードキャスト）  
ＩＥＥＥ８０２．１６規格の現在のバージョンでは、サービス提供ＢＳは、ダウンリンク・マップ（ＤＬ−ＭＡＰ）およびアップリンク・マップ（ＵＬ−ＭＡＰ）をフレーム・ベースでブロードキャストしうる。ＤＬ−ＭＡＰは、到来するフレーム内のＤＬデータ・バーストのための基本的なレイアウト情報を記述している一方、ＵＬ−ＭＡＰは、到来するフレーム内のＵＬデータ・バーストのための基本的なレイアウト情報を記述している。ＤＬデータ・バーストを復号するために、ＭＳは、ダウンリンク・チャネル・ディスクリプタ（ＤＣＤ）の現在のバージョンを必要としうる。同様に、ＵＬデータ・バーストを適切に符号化するために、ＭＳは、アップリンク・チャネル・ディスクリプタ（ＵＣＤ）の現在のバージョンを必要としうる。それに加えて、ＤＬ−ＭＡＰメッセージおよびＵＬ−ＭＡＰメッセージおのおのの内部のみならず、ＤＣＤメッセージおよびＵＣＤメッセージおのおのの内部において、設定変更カウント（ＣＣＣ）がある。ＭＳが、ＤＬ−ＭＡＰ／ＵＬ−ＭＡＰ内で見られたＣＣＣとは異なるＣＣＣを持つＤＣＤ／ＵＣＤメッセージを受信した場合、ＭＳは、データ・バーストを適切に復号できないことがありうる。その結果、ＭＳは、ＤＣＤパラメータとＤＬ−ＭＡＰ情報とが同期化される前に送信されたすべてのデータ・パケットを喪失しうる。これによって、データ・スループットが低下する。したがって、ＤＣＤメッセージおよびＵＣＤメッセージの現在のバージョンをＭＳが受信することが重要である。
【００４１】
任意の２つの連続するＤＣＤメッセージ（あるいは、２つの連続するＵＣＤメッセージ）間の間隔は、最大１０秒でありうる。２つの連続するＤＣＤ／ＵＣＤメッセージの間でＤＣＤのバージョンが変化し、ＣＣＣがインクリメントされ、ＭＳが利用不可能な状態にある場合、ＭＳは、新たなＣＣＣを持つ新たなバージョンのＤＣＤ／ＵＣＤメッセージを喪失しうる。したがって、ＭＳは、ＤＬ−ＭＡＰ／ＵＬ−ＭＡＰが新たなＣＣＣを用いているフレームにおけるデータ・バーストの復号に失敗しうる。さらに、トラフィック・インジケーション・メッセージがネガティブであっても、ＭＳは、スリープ状態に入る前に、更新されたＤＣＤ／ＵＣＤメッセージを受信することを待つので、ＭＳは、電力を多く消費する。
【００４２】
同様に、ハンドオーバ手順を効果的に実行するために、ＢＳは、モバイル近隣通知（ＭＯＢ＿ＮＢＲ−ＡＤＶ）メッセージによってすべてのＭＳへ近隣リストをブロードキャストしうる。近隣リストは大きくなりえるので、リスト全体を送信するために、ＭＯＢ＿ＮＢＲ−ＡＤＶメッセージの複数のフラグメントが必要とされうる。これらフラグメントを識別するために、ＭＯＢ＿ＮＢＲ−ＡＤＶメッセージは、フラグメント・インデクス・フィールドおよび全フラグメント・フィールドを含みうる。さらに、近隣リストは、近隣の設定変更あるいは構成変化の結果として修正される必要がありうる。その結果、ＭＯＢ＿ＮＢＲ−ＡＤＶはさらに、近隣リストの最も新しいバーションを識別するＣＣＣをも含みうる。ＭＯＢ＿ＮＢＲ−ＡＤＶメッセージに対してバージョン変更があった場合、ＣＣＣがインクリメントされ、ＭＳが利用不可能である場合、ＭＳは、大部分の近隣リスト再構築フラグメントを見失いうる。さらに、連続する２つのＭＯＢ＿ＮＢＲ−ＡＤＶメッセージ間の間隔は、任意の連続する２つのＤＣＤ／ＵＣＤメッセージ間の間隔である１０秒とは対照的に、３０秒もある。
【００４３】
さらに、サービス・アイデンティティ・ブロードキャスト情報通知（ＳＩＩ−ＡＤＶ）メッセージが、ＭＳに対応するネットワーク・サービス・プロバイダ（ＮＳＰ）リストを含みうる。ＤＣＤ／ＵＣＤメッセージとＭＯＢ−ＮＢＲ−ＡＤＶメッセージとを備えていることにより、ＮＳＰリストは、ＤＣＤメッセージでブロードキャストされたＣＣＣにも関連付けられうる。ＮＳＰリストＣＣＣの変化は、ＮＳＰリストが変更されたことを示唆する。この場合、ＭＳは、現在のＢＳがいまだに、サービスを探索するために適切なＢＳであるかを再評価する必要がありうる。
【００４４】
ＭＯＢ＿ＮＢＲ−ＡＤＶメッセージでのように、連続する２つのＳＩＩ−ＡＤＶメッセージ間の間隔は最大３０秒でありうる。しかしながら、ブロードキャストのデフォルト間隔は１０秒である。ＭＳが利用不可能である間に、ＮＳＰリストＣＣＣに変化が起きると、ＭＳは、最新のＮＳＰリストを有さないことがありうる。
【００４５】
図４Ａは、節電モードで費やされた期間近傍のＢＳ４１０とＭＳ４００との間の交換の例を図示する。この例では、ＭＳ４００は、タイプ１の節電クラス（ＰＳＣ）を利用している。これは、ＢＳ４１０とＭＳ４００とが、ベスト・エフォート（ＢＥ）または非リアル・タイム可変レート（ＮＲＴ−ＶＲ）接続を共有している場合に適用される。
【００４６】
例示するように、ＭＳ４００は、ＢＳ４１０へモバイル・スリープ要求（ＭＯＢ＿ＳＬＰ−ＲＥＱ）を送信することによって、スリープ・モードへ入るように要求しうる。ある実施形態では、ＭＳ４００はまた、スリープ・モードを要求するために、ＵＬスリープ制御ヘッダを持つ帯域幅（ＢＷ）要求をも利用しうる。これに応答して、ＢＳ４１０は、モバイル・スリープ応答（ＭＯＢ＿ＳＬＰ−ＲＳＰ）をＭＳ４００へ送信することによって、スリープ要求を許可しうる。しかしながら、ある実施形態は、スリープ要求を許可する際に、ＤＬスリープ制御拡張サブ・ヘッダを適用しうる。
【００４７】
スリープ要求とスリープ応答とを交換している間、ＭＳ４００とＢＳ４１０とは、ＰＳＣによって定義されたリスニング・ウィンドウ４３０とスリープ・ウィンドウ４２０とのスケジュールを確立しうる。ＭＳ４００とＢＳ４１０とは、使用されている１または複数の接続に関連付けられたサービス品質（ＱｏＳ）に基づいてＰＳＣを選択しうる。ある実施形態では、選択されたＰＳＣが、レンジ応答（ＲＮＧ−ＲＳＰ）メッセージで送信された１または複数のタイプ、長さ、値（ＴＬＶ）タプルによって定義され、活性化あるいは非活性化されうる。
【００４８】
スケジュールされたリスニング・ウィンドウ４３０の間、ＭＳ４００は、ＢＳ４１０からのＭＡＣ管理メッセージを傍受し受信するために、ウェイク・アップしうる。ＭＳ４００によって何のアクションも要求されていないことをＭＡＣ管理メッセージ４４０が示す場合、ＭＳは、次にスケジュールされたリスニング期間まで、スリープに戻りうる。ＭＳ４００によって要求される動作を示すＭＡＣ管理メッセージ４５０を受信し復号した後、ＭＳ４００は、ＰＳＣを非活性化し、ＢＳ４１０とのＤＬ／ＵＬデータ交換を開始しうる。
【００４９】
図４Ｂは、節電モード中に費やされた期間近傍のＢＳ４１０とＭＳ４００との間の交換の例を図示する。しかしながら、ある事例では、ＭＳ４００が節電モードにある間、ＢＳ４１０は、ＭＡＣ管理メッセージを送信し、あるパラメータを更新する。例えば、ＢＳ４１０は、ＤＣＤパラメータを更新するために、ＤＣＤメッセージ４６０を送信しうる。ＭＳ４００が節電モードのスリープ・ウィンドウ４２０にある間に、ＤＣＤパラメータが更新された場合、ＭＳ４００は、送信されたＰＤＵで見られたＤＬ−ＭＡＰ情報と、ＭＳ４００によって最後に受信されたＤＣＤパラメータとの間のミスマッチ４７０に気付きうる。
【００５０】
その結果、ＭＳ４００は、ＰＤＵを復号できないことがありうる。ＭＳ４００がＰＤＵを復号できない場合、ＭＳは、ＤＣＤパラメータが更新され、ＭＳ４００が、一致するＤＬ−ＭＡＰ情報を持つＰＤＵメッセージを受信するまで、後続するＰＤＵを破棄しうる。いくつかの事例では、ＢＳ４１０がＤＣＤメッセージ４６０を送信してＤＣＤパラメータを更新する前に、データ・スループットが１０秒間遅延されうる。さらに、トラフィック・インジケーション・メッセージがネガティブである場合であっても、ＭＳ４００は、スリープ状態に戻る前に、更新されたＤＣＤ／ＵＣＤメッセージを受信することを待つので、電力を多く消費する。
【００５１】
８０２．１６ｅ仕様は、ＤＬ−ＭＡＰにおいてブロードキャスト制御ポインタ情報要素（ＢＣＰ−ＩＥ）を用いることにより、ＤＣＤ／ＵＣＤメッセージおよびＭＯＢ＿ＮＢＲ−ＡＤＶメッセージに関する前述した問題を取り扱うメカニズムを提供する。ＢＣＰ−ＩＥを用いて、ＭＳは、ＤＣＤ／ＵＣＤメッセージまたはＭＯＢ＿ＮＢＲ−ＡＤＶメッセージが送信されるフレームについて通知されうる。それに加えて、ＢＣＰ−ＩＥは、ＭＯＢ−ＮＢＲ−ＡＤＶブロードキャスト情報が、ブロードキャストのフレーム番号および要素に含まれているかを示すビットを含みうる。
【００５２】
ＢＣＰ−ＩＥは、ＤＣＤ／ＵＣＤメッセージおよびＭＯＢ＿ＮＢＲ−ＡＤＶメッセージのタイミングをＭＳに提供しうるが、ブロードキャストされたフレームが、利用不可能なウィンドウ内にある場合、ＭＳに対して、低電力状態からウェイク・アップすることを要求すると認められる。さらに、示されたフレーム中に送信されたＤＣＤ／ＵＣＤメッセージのＣＣＣ（すなわち、バージョン）は、変更がないかもしれない。同様に、ＢＣＰ−ＩＥは、ＭＯＢ＿ＮＢＲ−ＡＤＶのＣＣＣ（すなわち、バージョン）も、送信される近隣リストのフラグメントも示さない。いずれの場合も、ＭＳは、既に受信しているこれらＭＡＣ管理メッセージを受信するために、不必要にウェイク・アップしうる。このウェイク・アップは、ＭＳ電力を浪費しうる。
【００５３】
さらに、ＢＣＰ−ＩＥは、ＳＩＩ−ＡＤＶメッセージのブロードキャスト・スケジュールで情報を提供しない。したがって、ＤＣＤにおけるＮＳＰ  ＣＣＣが変更された場合、ＭＳは、次のＳＩＩ−ＡＤＶブロードキャストまで、アウェイクし続けることを要求されうる。これは、平均して５秒乃至１５秒の待ち時間を意味する。ここでは、ＳＩＩ−ＡＤＶのブロードキャスト・スケジュールが知られている場合、ＭＳはスリープ・モードであったかもしれない。
【００５４】
したがって、本開示のある実施形態は、ＭＳによって最後に受信された１または複数のＭＡＣ管理メッセージ・パラメータ（例えば、ＤＣＤ／ＵＤＥパラメータ、ＭＯＢ＿ＮＢＲ−ＡＤＶパラメータ、およびＳＩＩ−ＡＤＶパラメータ）のセットと、プロトコル・データ・ユニット（ＰＤＵ）で送信されたエンハンストＢＣＰ−ＩＰで見られる情報との間のミスマッチを検出し、少なくとも、エンハンストＢＣＰ−ＩＥで見られた情報に基づいて、ウェイク・アップし、ＭＡＣ管理メッセージを受信するようにスリープ・モードのスケジュールを変更するための方法および装置を提供する。
【００５５】
図５を参照して、時分割デュプレクス（ＴＤＤ）実施のためのＯＦＤＭ／ＯＦＤＭＡフレーム５００が、典型的な、限定しない例として図示されている。例えばフルおよびハーフ・デュプレクス周波数分割デュプレクス（ＦＤＤ）のようなＯＦＤＭ／ＯＦＤＭＡフレームのその他の実施が使用されうる。この場合、フレームは、ダウンリンク（ＤＬ）メッセージとアップリンク（ＵＬ）メッセージとの両方が、異なるキャリアで同時に送信されうることを除いて、同じ構造を有しうる。ＴＤＤ実施では、おのおののフレームが、ＤＬサブ・フレーム５０２およびＵＬサブ・フレーム５０４へ分割されうる。これらは、小さなガード・インタバル５０６によって分けられうる。例示するように、ＤＬサブ・フレーム５０２およびＵＬサブ・フレーム５０４は、ＤＬおよびＵＬの送信衝突を避けるために、送信／受信ギャップおよび受信／送信移行ギャップ（それぞれＴＴＧおよびＲＴＧ）によって分けられうる。ＤＬ対ＵＬのサブ・フレーム比率は、異なるトラフィック・プロフィールをサポートするために、３：１から１：１まで変化しうる。
【００５６】
ＯＦＤＭ／ＯＦＤＭＡフレーム５００内には、さまざまな制御情報が含まれうる。例えば、フレーム５００の最初のＯＦＤＭ／ＯＦＤＭＡシンボルは、同期のために使用されるいくつかのパイロット信号（パイロット）を含みうるプリアンブル５０８でありうる。プリアンブル５０８内の固定されたパイロット・シーケンスによって、受信機３０４は、周波数誤りおよび位相誤りを推定し、送信機３０２に同期できるようになる。さらに、無線チャネルの推定および等値化のために、プリアンブル５０８内の固定パイロット・シーケンスが利用されうる。プリアンブル５０８は、ＢＰＳＫ変調されたキャリアを含む。これは、一般には、１つのＯＦＤＭシンボルの長さである。プリアンブル５０８のキャリアは、電力が高められており、ＷｉＭＡＸ信号におけるデータ部の周波数領域における電力レベルよりも一般に数デシベル（ｄＢ）（例えば、９ｄＢ）高い。使用されるプリアンブル・キャリアの番号は、ゾーンの３つのセグメントのうちのいずれが使用されているかを示すことができる。例えば、キャリア０、３、６、・・・は、セグメント０が使用されるべきことを示し、キャリア１、４、７、・・・は、セグメント１が使用されるべきことを示し、キャリア２、５、８、・・・は、セグメント２が使用されるべきことを示しうる。
【００５７】
フレーム制御ヘッダ（ＦＣＨ）５１０が、プリアンブル５０８に続く。ＦＣＨ５１０は、例えば、使用可能なサブ・チャネル、変調および符号化スキーム、および、現在のＯＦＤＭ／ＯＦＤＭＡフレームのＭＡＰメッセージ長さのようなフレーム設定情報を提供しうる。
【００５８】
ＦＣＨ５１０の後では、ＤＬ−ＭＡＰ５１４およびＵＬ−ＭＡＰ５１６が、データ・バースト割当と、ＤＬサブフレーム５０２およびＵＬサブフレーム５０４のためのその他の制御情報とを指定しうる。ＯＦＤＭＡの場合、複数のユーザに、フレーム内にデータ領域が割り当てられる。そして、これらの割当は、ＤＬ−ＭＡＰメッセージ５１４およびＵＬ−ＭＡＰメッセージ５１６において指定される。これらＭＡＰメッセージは、特定のリンクにおいて使用される変調および符号化スキームを規定する、おのおのユーザのバースト・プロファイルを含む。ＭＡＰメッセージは、すべてのユーザに届く必要のある重要な情報を含んでいるので、ＤＬ−ＭＡＰメッセージ５１４およびＵＬ−ＭＡＰメッセージ５１６は、しばしば、レート１／２符号化および反復符号化を用いたＢＰＳＫまたはＱＰＳＫのような、非常に信頼性の高いリンクによって送信される。ＯＦＤＭ／ＯＦＤＭＡフレームのＤＬサブフレーム５０２は、通信されているダウンリンク・データを含むさまざまなビット長さのＤＬバーストを含みうる。したがって、ＤＬ−ＭＡＰ５１４は、ダウンリンク・ゾーンに含まれるバーストの位置、および、ダウンリンク・バーストの数のみならず、時間（すなわちシンボル）方向および周波数（すなわちサブ・チャネル）方向との両方におけるオフセットおよび長さを記述しうる。
【００５９】
同様に、ＵＬサブ・フレーム５０４は、通信されているアップリンク・データから構成されるさまざまなビット長のＵＬバーストを含みうる。したがって、ダウンリンク・サブ・フレーム５０２において第１のバーストとして送信されるＵＬ−ＭＡＰ５１６は、異なるユーザのためのＵＬバーストの位置に関する情報を含みうる。ＵＬサブ・フレーム５０４は、追加の制御情報を含みうる。ＵＬサブ・フレーム５０４は、ＤＬハイブリッド自動反復要求アクノレッジ（ＨＡＲＱ  ＡＣＫ）をフィード・バックするために移動局（ＭＳ）のために割り当てられたＵＬ  ＡＣＫ５１８、および／または、チャネル品質インジケータ・チャネル（ＣＱＩＣＨ）でチャネル品質情報をフィード・バックするためにＭＳのために割り当てられたＵＬ  ＣＱＩＣＨ５０２を含みうる。さらに、ＵＬサブフレーム５０４は、ＵＬレンジング・サブ・チャネル５２２を備えうる。ＵＬレンジング・サブ・チャネル５２２は、帯域幅要求のみならず、クローズド・ループ時間、周波数、および電力調節を実行するためにＭＳのために割り当てられうる。プリアンブル５０８、ＦＣＨ５１０、ＤＬ−ＭＡＰ５１４、およびＵＬ−ＭＡＰ５１６はすべて、受信機３０４が、受信した信号を正しく復調できるための情報を伝送しうる。
【００６０】
ＯＦＤＭＡの場合、ＤＬおよびＵＬにおける送信のために、異なる「モード」が使用されうる。あるモードが使用される時間領域のエリアは、一般にゾーンと称される。１つのタイプのゾーンは、ＤＬ−ＰＵＳＣ（ｄｏｗｎｌｉｎｋ  ｐａｒｔｉａｌ  ｕｓａｇｅ  ｏｆ  ｓｕｂｃｈａｎｎｅｌｓ）と称され、利用可能なすべてのサブチャネルを使用する訳ではない（すなわち、ＤＬ−ＰＵＳＣゾーンは、サブチャネルの特定のグループしか使用しない）。最大３つのセグメントに割り当てられうる合計６つのサブチャネル・グループが存在しうる。したがって、セグメントは、１から６までのサブ・チャネル・グループを含みうる（例えば、セグメント０は、最初の２つのサブ・チャネル・グループを含み、セグメント１は、次の２つを含み、セグメント２が、最後の２つのサブチャネル・グループを含む）。別のタイプのゾーンは、ＤＬ−ＦＵＳＣ（ｄｏｗｎｌｉｎｋ  ｆｕｌｌ  ｕｓａｇｅ  ｏｆ  ｓｕｂｃｈａｎｎｅｌｓ）と呼ばれる。ＤＬ−ＰＵＳＣとは異なり、ＤＬ−ＦＵＳＣは、セグメントを使用しないが、十分な周波数範囲にわたってすべてのバーストを分散させうる。
【００６１】
（典型的なＤＬ−ＭＡＰおよびＢＣＰ−ＩＥ）  
図５のＤＬ−ＭＡＰ５１４は、ある実施形態によれば、ＢＣＰ−ＩＥの入力のフォーマットおよびビット・サイズを例示する図６Ｂとともに、図６Ａでより詳細に例示される。
【００６２】
ＤＬ−ＭＡＰ５１４は、８ビットの長さを有する管理メッセージ・タイプ６０２で始まる。これは、制御メッセージがＤＬ−ＭＡＰであることを示すために２（００００００１０ｂ）の値を持つ。図示する例では、管理メッセージ・タイプ６０２の後に、８ビットの長さであるフレーム持続コード６０４と、２４ビットの長さであるフレーム番号６０６とが続く。フレーム番号６０６の後には、８ビットの長さを持ち、ＤＣＤ  ＣＣＣ値に一致しているダウンリンク・チャネル・ディスクリプタ（ＤＣＤ）カウント６０８が続く。ＤＣＤメッセージは、セクタのダウンリンク・チャネル構成に適用されるべき物理レイヤおよび媒体アクセス制御（ＭＡＣ）レイヤに関連するパラメータを称する。ＤＣＤカウント６０８の後には、６バイト（４８ビット）の長さを有する基地局識別子（ＢＳＩＤ）６１０が続く。ＢＳＩＤ６１０は、ネットワークにおける基地局をユニークに識別し、その後には、ＤＬサブ・フレーム５０２内のＯＦＤＭＡシンボルの数を示し、８ビットの長さを有するＤＬシンボル持続時間６１２が続く。
【００６３】
可変長を有する複数（ｎ個）のＤＬ−ＭＡＰ情報要素（ＩＥ）６１４が、ＤＬシンボル持続時間６１２に続く。一般的なＤＬ−ＭＡＰ  ＩＥ６１４は、ダウンリンク送信を定義するために、ダウンリンク・インタバル用途コード（ＤＩＵＣ）６１６、接続ＩＤリスト６１８、および、ＤＬバースト割当６２０（例えば、サブ・チャネル・オフセット、シンボル・オフセット、サブ・チャネル数、およびシンボル数）を備えうる。０乃至１２を含むＤＩＵＣ６１６は、ＤＬ−ＭＡＰ  ＩＥが、ＤＬバースト・プロファイル（すなわち、バーストで使用されている変調および符号化スキーム）を提供していることを示す一方、１４または１５のＤＩＵＣ６１６は、ＤＬ−ＭＡＰ  ＩＥが、例えば、図６Ｂに例示するＢＣＰ−ＩＥのような制御情報要素であることを示しうる。１３であるＤＩＵＣ６１６は、ＤＬ−ＭＡＰ  ＩＥが安全なゾーン（すなわち、ギャップ）およびピーク対平均電力比（ＰＡＰＲ）低減のために使用されることを示す。図６Ａには図示されていないが、ＤＬ−ＭＡＰ５１４のいくつかの実施形態は、ＤＬ−ＭＡＰ５１４のバイト境界に達するために、４ビットの長さを有するパディングを含みうる。
【００６４】
（典型的なＤＣＤ／ＵＣＤのアラートおよびＭＯＢ＿ＮＢＲ−ＡＤＶブロードキャスト）  
図７は、ＭＳによって最後に受信された１または複数のＭＡＣ管理メッセージ・パラメータのセットと、プロトコル・データ・ユニット（ＰＤＵ）で送信されたエンハンストＢＣＰ−ＩＥで見られる情報との間のミスマッチを検出し、少なくとも、エンハンストＢＣＰ−ＩＥで見られた情報に基づいて、ウェイク・アップし、ＭＡＣ管理メッセージを受信するように、スリープ・モードのスケジュールを変更するために、例えばＭＳによって実行されるべき動作７００の例を図示する。
【００６５】
動作は、７０２で始まり、ここでは、ＭＳが、スリープ・モードからアウェイクし、ＭＡＣ管理メッセージが送信される時を示すＢＣＰ−ＩＥを備えた第１のメッセージを受信する。例えば、ＢＣＰ−ＩＥは、ＤＣＤ／ＵＣＤ、ＭＯＢ＿ＮＢＲ−ＡＤＶ、あるいはＳＩＩ−ＡＤＶメッセージが送信される時を示しうる。ある事例では、ＭＳがスリープ・モードに入る前に、第１のメッセージが受信されうる。他の事例では、ＭＳは、スリープ・モードのリスニング・ウィンドウの間に、第１のメッセージを受信しうる。それに加えて、第１のメッセージは、ＭＡＣ管理メッセージでありうる。あるいは、ＢＣＰ−ＩＥは、おのおののフレームのＤＬサブ・フレームに含まれるＤＬ−ＭＡＰに位置しうるので、第１のメッセージは、その他任意のタイプのメッセージでありうる。
【００６６】
７０４では、ＭＳが、どのＭＡＣ管理メッセージと、このメッセージのどのバージョンが送信されるのかを示すＢＣＰ−ＩＥのうち、１または複数のパラメータのセットを検査しうる。例えば、ＭＳは、ＤＣＤ／ＵＣＤまたはＳＩＩ−ＡＤＶメッセージを取り扱う場合に、ＣＣＣ値を検査しうる一方、ＭＳは、ＢＣＰ−ＩＥが、ペンディングのＭＯＢ＿ＮＢＲ−ＡＤＶメッセージを示す場合に、ＣＣＣ値、フラグメント・インデクス、およびフラグメントの合計数を検査しうる。
【００６７】
７０６では、ＭＳが、ＢＣＰ−ＩＥの１または複数のパラメータのセットが、前のメッセージで受信された１または複数のパラメータのセットと一致するかを判定しうる。ＢＣＰ−ＩＥの１または複数のパラメータのセットが、前のメッセージで受信された１または複数のパラメータのセットに一致する場合、送信されるべきＭＡＣ管理メッセージのバージョンは、既に受信されている。したがって、７１０において、ＭＳは、送信されるべきＭＡＣ管理メッセージを無視し、スリープ・モードを続ける。
【００６８】
一方、ＢＣＰ−ＩＥの１または複数のパラメータのセットが、以前のメッセージで受信された１または複数のパラメータのセットに一致しない場合、ＭＳは、送信されるべきＭＡＣ管理メッセージのバージョンを受信していない。したがって、ＭＳは、７０８において、ＢＣＰ−ＩＥの送信フレームを参照する。そして、ＭＡＣ管理メッセージの新たなバージョンが送信された場合には、ウェイク・アップして受信できるように、スリープのスケジュールを変更しうる。
【００６９】
図８は、本開示の実施形態を実施するＢＳ４１０とＭＳ４００との間の交換の例を図示する。例えば、ＭＳは、第１のメッセージ８１０１を受信すると、次のＭＡＣ管理メッセージ８１２１を無視すること、および、Ｎフレームの間、スリープ・モードに戻ることを決定しする。この場合、第１のメッセージ８１０１のＤＬ−ＭＡＰのＢＣＰ−ＩＥのＣＣＣは、次のＭＡＣ管理メッセージ８１２１が、ＭＳ４００によって既に受信されたものと同じバージョンのＭＡＣ管理メッセージを有する次のＭＡＣ管理メッセージ８１２１を示しうる。その後、ＭＳ４００は、別のリスニング・ウィンドウに入り、次のＭＡＣ管理メッセージ８１２２が新たなバージョンのＭＡＣ管理メッセージを有することを示す第２のメッセージ８１０２を受信しうる。したがって、ＭＳ４００は、新たなバージョンのＭＡＣ管理メッセージ８１２２が送信された場合、これを受信できるように、早期に（例えば、Ｎ／２フレーム後に）アウェイクするように、スリープ・モードのスケジュールを変更しうる。ＭＡＣ管理メッセージ８１２２を復号した後、ＭＳ４００はスリープ・モードを出て、ＭＡＣ管理メッセージ８１２２の命令群にしたがって、通常動作を開始しうる。他の実施形態の場合、ＭＡＣ管理メッセージ８１２２を復号した後、ＭＳ４００は、次にスケジュールされたウェイク・アップ時間までスリープ・モードに再び入る。これは、著しい節電および／または帯域幅節約をもたらしうる。
【００７０】
（典型的なＤＣＤ／ＵＤＥの同期およびＭＯＢ＿ＮＢＲ−ＡＤＶブロードキャスト）  
ある実施形態によれば、ＢＳ４１０は、ＭＳ４００によって最後に受信されたＭＡＣ管理メッセージのバージョンが、ＢＳ４１０によって現在送信されているＤＬ−ＭＡＰ情報に一致するかを判定することができうる。ＭＳのうちのいくつかまたはすべてが利用可能である期間中、ＭＳ４００の利用可能性を追跡し、ＭＡＣ管理メッセージの送信をスケジュールすることによって、ＢＳ４１０は、おのおののＭＳ４００が、ＭＡＣ管理メッセージの現在のバージョンを受信したことを確証しうる。おのおののＭＳがＭＡＣ管理メッセージの現在のバージョンを受信したとＢＳ４１０が確証した場合、ＢＳ４１０は、必要に応じて、ＭＡＣ管理メッセージを再設定しうる。これによって、ＣＣＣが高められる。あるいは、再設定間に許容される最大長さの遅れを用いて、ＭＡＣ管理メッセージの現在のバージョンにしたがってブロードキャストを継続しうる。
【００７１】
図９は、さまざまな節電モードにおいて複数のＭＳへ送信されているＤＣＤメッセージを図示する。新たなＭＡＣ管理メッセージが有効になるであろうことを判定した後、ＢＳは、新たなＭＡＣ管理メッセージが、現在のフレームＴから、後続するＮ個のフレーム内で送信される必要があると判定しうる。しかしながら、ＢＳが、ＭＡＣ管理メッセージ８１２の新たなバージョンをブロードキャストした場合、いくつかのＭＳは、利用不可能となり、新たなＭＡＣ管理メッセージを見失いうる。例えば、ＭＳ２およびＭＳ４を用いて例示するように、１または複数のＭＳは、スリープ期間、アイドル期間、あるいはスキャン期間にありうる。新たなバージョンが有効になる前に、ＭＳが、新たなＭＡＣ管理メッセージ８１２を受信しない場合、ＭＳは、ＭＡＣ管理メッセージの新たなバージョンが獲得されるまで、対応する動作を延期しうる（例えば、サービスが中断される）。
【００７２】
したがって、本開示のある実施形態は、新たなバージョンが有効になる前に、ＢＳによってサービス提供されるおのおののＭＳが、新たなバージョンのＭＡＣ管理メッセージを見失わないことを確証するための方法および装置を提供する。例えば、実施形態は、おのおののＭＳがアウェイクしているフレームのセットを判定し、フレームのセットのフレームのうちの１または複数の間に、新たなバージョンのＭＡＣ管理メッセージを送信しうる。
【００７３】
図１０は、ＢＳによってサービス提供されるおのおののＭＳが、ＭＡＣ管理メッセージの現在のバージョンを受信することを確証できるように、フレームのセットの間に、ＭＡＣ管理メッセージの現在のバージョンの送信をスケジュールするために、例えばＢＳによって実行されうる動作１０００の例を図示する。
【００７４】
動作は、１００２において、ＢＳが、スリープ・モードにあるＭＳのセットを判定することで始まる。ＭＳ４００がスリープ・モードにない場合、ＭＳ４００は、即座に利用可能であることが期待されうる。したがって、スリープ・モードにないＢＳによってサービス提供されるＭＳは、現在のバージョンのＭＡＣ管理メッセージがＢＳによって送信される場合にはいつでも、このメッセージを受信しうる。
【００７５】
１００４では、ＢＳが、新たなバージョンのＭＡＣ管理メッセージが、ＭＳのセット内のおのおののＭＳによって受信されるように、新たなバージョンのＭＡＣ管理メッセージを送信するフレームのセットを決定しうる。ある実施形態によれば、ＢＳは、新たなバージョンのＭＡＣ管理メッセージが、ＭＳのセットのおのおののＭＳによって受信されるように、新たなバージョンのＭＡＣ管理メッセージを送信することが可能なフレームの最小セットを決定することを試みうる。いくつかの実施形態では、ＭＳのいくつかまたはすべてが、現在のバージョンのＭＡＣ管理メッセージを受信したとＢＳが確信した後に、ＢＳが、必要に応じてＭＡＣ管理メッセージを再設定し、もって、設定変更カウンタ（ＣＣＣ）を増加できるように、ＢＳは、新たなＭＡＣ管理メッセージを送信するための可能な、および／または、現実的なフレームの最小セットを判定しうる。いくつかの実施形態は、フレームのセット、および／または、フレームの最小セットを決定するために、ヒューリスティック・アルゴリズムを適用しうる。１００６において、ＢＳは、フレームのセットにおけるおのおののフレーム中に、新たなバージョンのＭＡＣ管理メッセージを送信しうる。
【００７６】
図１１は、フレームＴ＋３およびフレームＴ＋６の間に、新たなＭＡＣ管理メッセージ１１００を送信するＢＳ４１０を例示する。ＢＳ４１０が、フレームＴ＋３の間に、新たなＭＡＣ管理メッセージ１１００を送信した場合、ＭＳ１乃至３は、利用可能なインタバル４３０内にあり、新たなＭＡＣ管理メッセージ１１００を受信するだろう。しかしながら、ＭＳ４乃至５は、この新たなＭＡＣ管理メッセージ１１００を受信できないだろう。しかしながら、ＢＳが、フレームＴ＋６の間に、２度目の新たなＭＡＣ管理メッセージ１１００を送信した場合、ＭＳ４乃至５は、利用可能なインタバル４３０内にあり、新たなＭＡＣ管理メッセージ１１００を受信するだろう。その結果、ＭＳのセットにおけるおのおののＭＳは、フレーム１０の後、新たなメッセージが有効になる前に、新たなＭＡＣ管理メッセージ１１００を受信するだろう。
【００７７】
以前に記載された実施形態は、スリープ・モードにおけるＭＳに関して説明されているが、実施は、スキャン・モードまたはアイドル・モードにあるＭＳへ拡張されうる。スキャン・モードにあるＭＳを用いて使用される場合、実施形態は、スキャン・スケジュールを不必要に中断することを回避しうる。この結果、スキャン反復に関する近隣ＢＳ情報の観点からリターンが高くなる。これは、ハンドオーバ決定を実行するためにより良好なデータ・セットを生成しうる。
【００７８】
前述された方法のさまざまな動作は、図面に例示されるようなｍｅａｎｓ−ｐｌｕｓ−ｆｕｎｃｉｔｏｎブロックに対応するさまざまなハードウェアおよび／またはソフトウェア構成要素（単数または複数）および／またはモジュール（単数または複数）によって実行されうる。一般に、対応するｍｅａｎｓ−ｐｌｕｓ−ｆｕｎｃｉｔｏｎ図面を有する図面に例示された方法が存在する場合、動作ブロックは、同一番号が付されたｍｅａｎｓ−ｐｌｕｓ−ｆｕｎｃｉｔｏｎブロックに対応する。例えば、図７に例示されるブロック７０２乃至７１０は、図７Ａに例示されるｍｅａｎｓ−ｐｌｕｓ−ｆｕｎｃｉｔｏｎブロック７０２Ａ乃至７１０Ａに対応する。同様に、図１０に例示されるブロック１００２乃至１００６は、図１０Ａに例示されるｍｅａｎｓ−ｐｌｕｓ−ｆｕｎｃｉｔｏｎブロック１００２Ａ乃至１００６Ａに対応する。
【００７９】
本明細書で使用される場合、用語「判定すること（ｄｅｔｅｒｍｉｎｉｎｇ）」は、さまざまな動作を含む。例えば、「判定すること」は、計算、コンピューティング、処理、導出、調査、ルックアップ（例えば、テーブル、データベース、または他のデータ構造内のルックアップ）、確認等を含むことができる。また、「判定すること」は、受信（例えば、情報の受信）、アクセス（例えば、メモリ内のデータへのアクセス）等を含むことができる。また、「判定すること」は、解決、選択、選定、確立等を含むことができる。
【００８０】
情報および信号を、さまざまな異なる技術および技法のいずれかを使用して表すことができる。例えば、上記説明全体を通じて称されうるデータ、命令、コマンド、情報、信号等を、電圧、電流、電磁波、磁場または磁性粒子、光場または光粒子、あるいはその任意の組合せによって表すことができる。
【００８１】
本開示に関して記載された例示的なさまざまな論理ブロック、モジュール、および回路は、汎用プロセッサ、デジタル信号プロセッサ（ＤＳＰ）、特定用途向け集積回路（ＡＳＩＣ）、フィールド・プログマブル・ゲート・アレイ信号（ＦＰＧＡ）またはその他のプログラマブル論理回路、ディスクリート・ゲートまたはトランジスタ・ロジック、ディスクリート・ハードウェア構成要素、または、本明細書に記載された機能を実行するように設計されたこれら任意の組み合わせを用いて実施または実行されうる。汎用プロセッサは、マイクロプロセッサとすることができるが、代替案では、プロセッサを、任意の市販のプロセッサ、コントローラ、マイクロコントローラ、または順序回路とすることができる。プロセッサはまた、例えば、ＤＳＰとマイクロプロセッサとの組み合わせや、複数のマイクロプロセッサの組み合わせ、ＤＳＰコアまたはその他任意のこのような構成と連携された１または複数のマイクロプロセッサの組み合わせのような、計算デバイスの組み合わせとして実現されうる。
【００８２】
本開示に関連して記載された方法またはアルゴリズムのステップは、ハードウェア内で直接的に具体化されるか、プロセッサによって実行されるソフトウェア・モジュールで具体化されるか、あるいは、これらの組み合わせで具体化されうる。ソフトウェア・モジュールは、当該技術分野において周知のすべての形式の記憶媒体に常駐することができる。使用されうる記憶媒体のいくつかの例は、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ等を含みうる。ソフトウェア・モジュールは、単一の命令または複数の命令群を備え、いくつかの異なるコード・セグメントにわたって、異なるプログラムにわたって、および、複数の記憶媒体にわたって分散されうる。記憶媒体を、プロセッサが記憶媒体から情報を読み取り、記憶媒体に情報を書き込めるように、プロセッサに結合することができる。あるいは、この記憶媒体は、プロセッサに統合されうる。
【００８３】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００８４】
説明された機能を、ハードウェア、ソフトウェア、ファームウェア、またはその任意の組合せで実施することができる。ソフトウェアで実施される場合、これら機能は、コンピュータ読取可能媒体またはメモリ・デバイスに、１または複数の命令群として格納されうる。記憶媒体は、コンピュータによってアクセスされうる利用可能な任意の媒体である。限定することなく、例示によって、このようなコンピュータ読取可能媒体または記憶デバイスは、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、命令群またはデータ構造の形式で所望のプログラム・コードを伝送または格納するために使用され、かつコンピュータによってアクセス可能なその他任意の媒体を備えうる。本明細書で使用されるディスク（ｄｉｓｋおよびｄｉｓｃ）は、コンパクト・ディスク（ＣＤ）（ｄｉｓｃ）、レーザ・ディスク（ｄｉｓｃ）、光ディスク（ｄｉｓｃ）、ディジタル・バーサタイル・ディスク（ＤＶＤ）（ｄｉｓｃ）、フロッピー（登録商標）ディスク（ｄｉｓｋ）、およびＢｌｕ−ｒａｙ（登録商標）ディスク（ｄｉｓｃ）を含む。ここで、ｄｉｓｋは通常、データを磁気的に再生する一方、ｄｉｓｃは、レーザを用いてデータを光学的に再生する。
【００８５】
ソフトウェアまたは命令群はまた、伝送媒体によって、例えば、記憶デバイスから別の記憶デバイスへ送信されうる。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００８６】
さらに、例えば、図面に例示されるように、本明細書に記載される方法および技術を実行するためのモジュールおよび／またはその他の適切な手段は、適用可能なものとして、ダウンロードされうるか、および／または、モバイル・デバイスおよび／または基地局によって取得されうることが認識されるべきである。例えば、そのようなデバイスを、本明細書で説明した方法を実行するための手段の転送を容易にするためにサーバに結合することができる。あるいは、本明細書に記載されたさまざまな方法は、モバイル・デバイスおよび／または基地局が、記憶手段をデバイスに接続した場合、あるいは、記憶手段を提供した場合、さまざまな方法を取得できるように、記憶手段（例えば、ランダム・アクセス・メモリ（ＲＡＭ）、読取専用メモリ（ＲＯＭ）、例えばコンパクト・ディスク（ＣＤ）やフロッピー（登録商標）ディスクまたはその他の磁気、光、あるいは有機記憶媒体のような物理的な記憶媒体等）によって提供されうる。さらに、本明細書で説明された方法および技法をデバイスに提供するために、その他任意の適切な技法を利用することができる。
【００８７】
特許請求の範囲は、前述した正確な構成および構成要素に限定されないことを理解されたい。さまざまな修正、変更、および変形を、特許請求の範囲の範囲から逸脱せずに、前述した方法および装置の構成、動作、および詳細において実施することができる。
【００８８】
前述したものは、本開示の実施形態に向けられているが、これら開示のその他およびさらなる実施形態が、本願の基本的な範囲から逸脱することなく考案され、この範囲は、以下に示す特許請求の範囲によって決定される。
なお、以下に、出願当初の特許請求の範囲に記載された発明を付記する。
［発明１］
無線通信のための方法であって、
低電力状態のリスニング期間中に、媒体アクセス制御（ＭＡＣ）管理メッセージがいつ送信されるかを示すブロードキャスト制御ポインタ情報要素（ＢＣＰ−ＩＥ）を備える第１のメッセージを受信することと、
送信されるべきＭＡＣ管理メッセージのバージョンが、以前に受信されたＭＡＣ管理メッセージのバージョンと一致するかを判定することと、
前記送信されるべきＭＡＣ管理メッセージのバージョンが、以前に受信されたバージョンと一致しない場合、ウェイク・アップして前記ＭＡＣ管理メッセージを受信するように、前記低電力状態のスケジュールを変更することと
を備える方法。
［発明２］
前記送信されるべきＭＡＣ管理メッセージのバージョンが、以前に受信されたＭＡＣ管理メッセージのバージョンと一致するかを判定することは、前記ＭＡＣ管理メッセージのどのバージョンが送信されるのかを示すＢＣＰ−ＩＥの１または複数のパラメータのセットを検査することを備える発明１に記載の方法。
［発明３］
前記ＢＣＰ−ＩＥの１または複数のパラメータのセットは、設定変更カウンタ（ＣＣＣ）、フラグメント・インデクス、あるいは、フラグメント値の合計数を備える発明２に記載の方法。
［発明４］
前記ＭＡＣ管理メッセージは、ダウンリンク・チャネル・ディスクリプタ（ＤＣＤ）メッセージまたはアップリンク・チャネル・ディスクリプタ（ＵＣＤ）メッセージである発明１に記載の方法。
［発明５］
前記ＭＡＣ管理メッセージは、モバイル近隣通知（ＭＯＢ＿ＮＢＲ−ＡＤＶ）メッセージである発明１に記載の方法。
［発明６］
前記ＭＡＣ管理メッセージは、サービス・アイデンティティ・ブロードキャスト情報通知（ＳＩＩ−ＡＤＶ）メッセージである発明１に記載の方法。
［発明７］
直交周波数分割多重化（ＯＦＤＭ）または直交周波数分割多元接続（ＯＦＤＭＡ）による無線通信のための方法であって、
利用不可能な状態にある１または複数の移動局（ＭＳ）のセットを決定することと、
新たなＭＡＣ管理メッセージが有効になる前に、前記新たなＭＡＣ管理メッセージがＭＳのセットにおけるおのおののＭＳによって受信されるように、前記新たなＭＡＣ管理メッセージを送信するフレームのセットを決定することと、
前記フレームのセットにおけるおのおののフレーム中に、前記新たなＭＡＣ管理メッセージを送信することと
を備える方法。
［発明８］
前記新たなＭＡＣ管理メッセージを送信するフレームのセットを決定することは、前記新たなＭＡＣ管理メッセージが、前記ＭＳのセット内のおのおののＭＳによって受信される間、前記フレームのセットが、フレームの最小セットになるように、前記フレームのセットを選択することを備える発明７に記載の方法。
［発明９］
前記新たなＭＡＣ管理メッセージを送信するフレームのセットを決定することは、ヒューリスティック・アルゴリズムを実施して、前記フレームのセットを決定することを備える発明７に記載の方法。
［発明１０］
無線通信のための装置であって、
低電力状態のリスニング期間中に、媒体アクセス制御（ＭＡＣ）管理メッセージがいつ送信されるかを示すブロードキャスト制御ポインタ情報要素（ＢＣＰ−ＩＥ）を備えるメッセージを受信するためのロジックと、
送信されるべきＭＡＣ管理メッセージのバージョンが、以前に受信されたＭＡＣ管理メッセージのバージョンと一致するかを判定するためのロジックと、
前記送信されるべきＭＡＣ管理メッセージのバージョンが、以前に受信されたバージョンと一致しない場合、ウェイク・アップして前記ＭＡＣ管理メッセージを受信するように、低電力状態のスケジュールを変更するためのロジックと
を備える装置。
［発明１１］
前記送信されるべきＭＡＣ管理メッセージのバージョンが、以前に受信されたＭＡＣ管理メッセージのバージョンと一致するかを判定するためのロジックは、前記ＭＡＣ管理メッセージのどのバージョンが送信されるのかを示すＢＣＰ−ＩＥの１または複数のパラメータのセットを検査するためのロジックを備える発明１０に記載の装置。
［発明１２］
前記ＢＣＰ−ＩＥの１または複数のパラメータのセットは、設定変更カウンタ（ＣＣＣ）、フラグメント・インデクス、あるいは、フラグメント値の合計数を備える発明１１に記載の装置。
［発明１３］
前記ＭＡＣ管理メッセージは、ダウンリンク・チャネル・ディスクリプタ（ＤＣＤ）メッセージまたはアップリンク・チャネル・ディスクリプタ（ＵＣＤ）メッセージである発明１０に記載の装置。
［発明１４］
前記ＭＡＣ管理メッセージは、モバイル近隣通知（ＭＯＢ＿ＮＢＲ−ＡＤＶ）メッセージである発明１０に記載の装置。
［発明１５］
前記ＭＡＣ管理メッセージは、サービス・アイデンティティ・ブロードキャスト情報通知（ＳＩＩ−ＡＤＶ）メッセージである発明１０に記載の装置。
［発明１６］
直交周波数分割多重化（ＯＦＤＭ）または直交周波数分割多元接続（ＯＦＤＭＡ）による無線通信のための装置であって、
利用不可能な状態にある１または複数の移動局（ＭＳ）のセットを決定するためのロジックと、
新たな媒体アクセス制御（ＭＡＣ）管理メッセージが有効になる前に、新たなＭＡＣ管理メッセージがＭＳのセットにおけるおのおののＭＳによって受信されるように、新たなＭＡＣ管理メッセージを送信するフレームのセットを決定するためのロジックと、
前記フレームのセットにおけるおのおののフレーム中に、前記新たなＭＡＣ管理メッセージを送信するためのロジックと
を備える装置。
［発明１７］
前記新たなＭＡＣ管理メッセージを送信するフレームのセットを決定するためのロジックは、前記新たなＭＡＣ管理メッセージが、前記ＭＳのセット内のおのおののＭＳによって受信される間、前記フレームのセットが、フレームの最小セットになるように、前記フレームのセットを選択するためのロジックを備える発明１６に記載の装置。
［発明１８］
前記新たなＭＡＣ管理メッセージを送信するフレームのセットを決定するためのロジックは、ヒューリスティック・アルゴリズムを実施して、前記フレームのセットを決定するためのロジックを備える発明１６に記載の装置。
［発明１９］
無線通信のための装置であって、
低電力状態のリスニング期間中に、媒体アクセス制御（ＭＡＣ）管理メッセージがいつ送信されるかを示すブロードキャスト制御ポインタ情報要素（ＢＣＰ−ＩＥ）を備えるメッセージを受信する手段と、
送信されるべきＭＡＣ管理メッセージのバージョンが、以前に受信されたＭＡＣ管理メッセージのバージョンと一致するかを判定する手段と、
前記送信されるべきＭＡＣ管理メッセージのバージョンが、以前に受信されたバージョンと一致しない場合、ウェイク・アップして前記ＭＡＣ管理メッセージを受信するように、低電力状態のスケジュールを変更する手段と
を備える装置。
［発明２０］
前記送信されるべきＭＡＣ管理メッセージのバージョンが、以前に受信されたＭＡＣ管理メッセージのバージョンと一致するかを判定する手段は、
前記ＭＡＣ管理メッセージのどのバージョンが送信されるのかを示すＢＣＰ−ＩＥの１または複数のパラメータのセットを検査する手段を備える
発明１９に記載の装置。
［発明２１］
前記ＢＣＰ−ＩＥの１または複数のパラメータのセットは、設定変更カウンタ（ＣＣＣ）、フラグメント・インデクス、あるいは、フラグメント値の合計数を備える発明２０に記載の装置。
［発明２２］
前記ＭＡＣ管理メッセージは、ダウンリンク・チャネル・ディスクリプタ（ＤＣＤ）メッセージまたはアップリンク・チャネル・ディスクリプタ（ＵＣＤ）メッセージである発明１９に記載の装置。
［発明２３］
前記ＭＡＣ管理メッセージは、モバイル近隣通知（ＭＯＢ＿ＮＢＲ−ＡＤＶ）メッセージである発明１９に記載の装置。
［発明２４］
前記ＭＡＣ管理メッセージは、サービス・アイデンティティ・ブロードキャスト情報通知（ＳＩＩ−ＡＤＶ）メッセージである発明１９に記載の装置。
［発明２５］
直交周波数分割多重化（ＯＦＤＭ）または直交周波数分割多元接続（ＯＦＤＭＡ）による無線通信のための装置であって、
利用不可能な状態にある１または複数の移動局（ＭＳ）のセットを決定する手段と、
新たな媒体アクセス制御（ＭＡＣ）管理メッセージが有効になる前に、前記新たなＭＡＣ管理メッセージがＭＳのセットにおけるおのおののＭＳによって受信されるように、前記新たなＭＡＣ管理メッセージを送信するフレームのセットを決定する手段と、
前記フレームのセットにおけるおのおののフレーム中に、前記新たなＭＡＣ管理メッセージを送信する手段と
を備える装置。
［発明２６］
前記新たなＭＡＣ管理メッセージを送信するフレームのセットを決定する手段は、前記新たなＭＡＣ管理メッセージが、前記ＭＳのセット内のおのおののＭＳによって受信される間、前記フレームのセットが、フレームの最小セットになるように、前記フレームのセットを選択する手段を備える発明２５に記載の装置。
［発明２７］
前記新たなＭＡＣ管理メッセージを送信するフレームのセットを決定する手段は、ヒューリスティック・アルゴリズムを実施して、前記フレームのセットを決定する手段を備える発明２５に記載の装置。
［発明２８］
１または複数のプロセッサによって実行されることが可能な、格納された命令群のセットを有するメモリを備えた、無線通信のためのコンピュータ・プログラム記憶装置であって、
低電力状態のリスニング期間中に、媒体アクセス制御（ＭＡＣ）管理メッセージがいつ送信されるかを示すブロードキャスト制御ポインタ情報要素（ＢＣＰ−ＩＥ）を備えるメッセージを受信するための命令群と、
送信されるべきＭＡＣ管理メッセージのバージョンが、以前に受信されたＭＡＣ管理メッセージのバージョンと一致するかを判定するための命令群と、
前記送信されるべきＭＡＣ管理メッセージのバージョンが、以前に受信されたバージョンと一致しない場合、ウェイク・アップして前記ＭＡＣ管理メッセージを受信するように、低電力状態のスケジュールを変更するための命令群と
を備えるコンピュータ・プログラム記憶装置。
［発明２９］
前記送信されるべきＭＡＣ管理メッセージのバージョンが、以前に受信されたＭＡＣ管理メッセージのバージョンと一致するかを判定するための命令群は、前記ＭＡＣ管理メッセージのどのバージョンが送信されるのかを示すＢＣＰ−ＩＥの１または複数のパラメータのセットを検査するための命令群を備える発明２８に記載のコンピュータ・プログラム記憶装置。
［発明３０］
前記ＢＣＰ−ＩＥの１または複数のパラメータのセットは、設定変更カウンタ（ＣＣＣ）、フラグメント・インデクス、あるいは、フラグメント値の合計数を備える発明２９に記載のコンピュータ・プログラム記憶装置。
［発明３１］
前記ＭＡＣ管理メッセージは、ダウンリンク・チャネル・ディスクリプタ（ＤＣＤ）メッセージまたはアップリンク・チャネル・ディスクリプタ（ＵＣＤ）メッセージである発明２８に記載のコンピュータ・プログラム記憶装置。
［発明３２］
前記ＭＡＣ管理メッセージは、モバイル近隣通知（ＭＯＢ＿ＮＢＲ−ＡＤＶ）メッセージである発明２８に記載のコンピュータ・プログラム記憶装置。
［発明３３］
前記ＭＡＣ管理メッセージは、サービス・アイデンティティ・ブロードキャスト情報通知（ＳＩＩ−ＡＤＶ）メッセージである発明２８に記載のコンピュータ・プログラム記憶装置。
［発明３４］
１または複数のプロセッサによって実行されることが可能な、格納された命令群のセットを有するメモリを備えた、無線通信のためのコンピュータ・プログラム記憶装置であって、
利用不可能な状態にある１または複数の移動局（ＭＳ）のセットを決定するための命令群と、
新たな媒体アクセス制御（ＭＡＣ）管理メッセージが有効になる前に、前記新たなＭＡＣ管理メッセージがＭＳのセットにおけるおのおののＭＳによって受信されるように、前記新たなＭＡＣ管理メッセージを送信するフレームのセットを決定するための命令群と、
前記フレームのセットにおけるおのおののフレーム中に、前記新たなＭＡＣ管理メッセージを送信するための命令群と
を備えるコンピュータ・プログラム記憶装置。
［発明３５］
前記新たなＭＡＣ管理メッセージを送信するフレームのセットを決定するための命令群は、前記新たなＭＡＣ管理メッセージが、前記ＭＳのセット内のおのおののＭＳによって受信される間、前記フレームのセットが、フレームの最小セットになるように、前記フレームのセットを選択するための命令群を備える発明３４に記載のコンピュータ・プログラム記憶装置。
［発明３６］
前記新たなＭＡＣ管理メッセージを送信するフレームのセットを決定するための命令群は、ヒューリスティック・アルゴリズムを実施して、前記フレームのセットを決定するための命令群を備える発明３４に記載のコンピュータ・プログラム記憶装置。
【図１】
0005420681.tif 000002
【図２】
0005420681.tif 000003
【図３】
0005420681.tif 000004
【図４Ａ】
0005420681.tif 000005
【図４Ｂ】
0005420681.tif 000006
【図５】
0005420681.tif 000007
【図６Ａ】
0005420681.tif 000008
【図６Ｂ】
0005420681.tif 000009
【図７】
0005420681.tif 000010
【図７Ａ】
0005420681.tif 000011
【図８】
0005420681.tif 000012
【図９】
0005420681.tif 000013
【図１０】
0005420681.tif 000014
【図１０Ａ】
0005420681.tif 000015
【図１１】
0005420681.tif 000016